(57)【要約】【課題】本発明は加湿装置に関するもので、加湿能力を向上することができるものである。【解決手段】そしてこの目的を達成するために本発明は、吸気口１と排気口２を有する本体ケース３と、この本体ケース３内に設けられた加湿手段を備え、この加湿手段は一定量の水が入った水槽４と、この水槽４の水に周縁の一部が浸漬された円筒形状の加湿フィルター５と、この加湿フィルター５を回転させる回転手段６と、水槽４に水を供給する給水タンク７を備え、送風手段８の回転軸８ａを加湿フィルター５の回転軸５ａと平行に設け、加湿フィルター５を吸気口１から排気口２へ空気を送風する送風手段８の上流側に設けたものである。【選択図】図１
2010286161.tif 000002
【特許請求の範囲】
【請求項１】
吸気口と排気口を有する本体ケースと、この本体ケース内に設けられた加湿手段を備え、この加湿手段は一定量の水が入った水槽と、この水槽の水に周縁の一部が浸漬された円筒形状の加湿フィルターと、この加湿フィルターを回転させる回転手段と、前記水槽に水を供給する給水タンク部を備え、前記送風手段の回転軸を前記加湿フィルターの回転軸と平行に設け、前記加湿フィルターを前記吸気口から前記排気口へ空気を送風する送風手段の上流側に設けた加湿装置。
【請求項２】
送風手段は電動機と、複数の前記羽根部である第１の羽根と第２の羽根と、複数の前記ケーシング部である第１のケーシングと第２のケーシングとから形成し、この電動機の回転軸の両端に前記第１の羽根と前記第２の羽根を備え、前記第１の羽根と前記第２の羽根の両外側と前記本体ケースとの間と、前記第１の羽根と前記第２の羽根との間に空間を有する請求項１に記載の加湿装置。
【請求項３】
第１の羽根と第２の羽根との間の風路の水平方向の距離は、前記第１の羽根と前記第２の羽根の両外側と前記本体ケースとの間の風路の水平方向の距離より大きい請求項２に記載の加湿装置。
【請求項４】
加湿フィルターの両側面部と、本体ケース側面部との間の空間を覆うカバー部を設けた請求項１〜３のいずれかに記載の加湿装置。
【請求項５】
加湿フィルターの回転軸を前記電動機の回転軸のほぼ真上に設けた請求項１〜４のいずれかに記載の加湿装置。
【請求項６】
加湿フィルターの回転軸方向の長さは、前記送風手段である前記第１のケーシングの側面外側から前記第２のケーシングの側面外側までの長さより長い請求項５に記載の加湿装置。
【請求項７】
吸気口は前記本体ケースの背面側で、前記加湿手段と前記送風手段との間に位置した構成である請求項１〜６のいずれかに記載の加湿装置。
【請求項８】
第１の羽根と第２の羽根は同一形状のシロッコファンである請求項１〜７のいずれかに記載の加湿装置。
【請求項９】
第１のケーシングと第２のケーシングは上部に吐出口を設け、この吐出口の本体ケースの前面側に舌片部を備えた請求項１〜８のいずれかに記載の加湿装置。
【発明の詳細な説明】
【技術分野】
【０００１】
本発明は、給水した加湿フィルターに通風することにより、室内を加湿する加湿装置に関する。
【背景技術】
【０００２】
従来のこの種の除湿装置の構成は以下のようになっていた。
【０００３】
すなわち、吸気口と排気口を有する本体ケースと、この本体ケース内に設けられた加湿手段を備え、この加湿手段は一定量の水が入った水槽と、この水槽の水に周縁の一部が浸漬された円筒形状の加湿フィルターと、この加湿フィルターを回転させる回転手段と、前記水槽に水を供給する給水タンクを備え、前記送風手段の回転軸を前記加湿フィルターの回転軸と平行に設け、前記加湿フィルターを前記吸気口から前記排気口へ空気を送風する送風手段の下流側に設けた加湿装置。
【先行技術文献】
【特許文献】
【０００４】
【特許文献１】特開２００８−１１６１５９号公報
【発明の概要】
【発明が解決しようとする課題】
【０００５】
上記従来例における課題は、加湿能力が低いということであった。
【０００６】
すなわち、従来の物においては、送風手段の回転軸を加湿フィルターの回転軸と平行に設け、加湿フィルターを吸気口から排気口へ空気を送風する送風手段の下流側に設けたので、吸気口を介して送風手段に吸い込まれた空気は、この送風手段から加湿フィルターに吹き出され、この加湿フィルターを介して排気口から室内へ吹出される。つまり、送風手段から加湿フィルターに空気を吹き出すので、加湿フィルターの場所によっては風速の速い部分や、遅い部分ができ、加湿フィルター全体に均一に空気が当たらないので、結果として、加湿能力が低下していた。
【０００７】
そこで本発明は、加湿能力の向上を目的とするものである。
【課題を解決するための手段】
【０００８】
そしてこの目的を達成するために本発明は、吸気口と排気口を有する本体ケースと、この本体ケース内に設けられた加湿手段を備え、この加湿手段は一定量の水が入った水槽と、この水槽の水に周縁の一部が浸漬された円筒形状の加湿フィルターと、この加湿フィルターを回転させる回転手段と、前記水槽に水を供給する給水タンクを備え、前記送風手段の回転軸を前記加湿フィルターの回転軸と平行に設け、前記加湿フィルターを前記吸気口から前記排気口へ空気を送風する送風手段の下流側に設けた。これにより、初期の目的を達成するものである。
【発明の効果】
【０００９】
以上のように本発明は、吸気口と排気口を有する本体ケースと、この本体ケース内に設けられた加湿手段を備え、この加湿手段は一定量の水が入った水槽と、この水槽の水に周縁の一部が浸漬された円筒形状の加湿フィルターと、この加湿フィルターを回転させる回転手段と、前記水槽に水を供給する給水タンクを備え、前記送風手段の回転軸を前記加湿フィルターの回転軸と平行に設け、前記加湿フィルターを前記吸気口から前記排気口へ空気を送風する送風手段の上流側に設けたものであり、加湿能力を向上することができるものである。
【００１０】
すなわち、送風手段の回転軸を加湿フィルターの回転軸と平行に設け、加湿フィルターを吸気口から排気口へ空気を送風する送風手段の上流側に設けたので、吸気口および加湿フィルターを介して送風手段に吸い込まれた空気は、この送風手段から排気口を介し、室内へ吹出される。つまり、送風手段により加湿フィルターの下流側が負圧状態となるので、加湿フィルターの上流側である吸気口から吸い込まれた空気がほぼ均一に加湿フィルター全体に流れ込むことになる。
【００１１】
これらの結果により、加湿フィルター全体にほぼ均一に空気が流れるので、加湿能力を向上することができる。
【図面の簡単な説明】
【００１２】
【図１】本発明の実施の形態１の加湿装置の外観図
【図２】本発明の実施の形態１の加湿装置の概略断面図
【図３】本発明の実施の形態１の加湿装置の概略断面図
【図４】本発明の実施の形態１の加湿装置の概略断面図
【発明を実施するための形態】
【００１３】
以下、本実施形態を添付図面を用いて説明する。
【００１４】
（実施の形態１）
図１および図２に示すように、本実施形態の加湿装置は、吸気口１と排気口２を有する本体ケース３と、この本体ケース内に加湿手段を備えている。
【００１５】
本体ケース３は略立方体形状で、背面側の側面に略横長四角形状の吸気口１を設け、天面の背面側に略横長四角形状の排気口２を備えている。
【００１６】
加湿手段は、一定量の水が入った水槽４と、この水槽４の水に周縁の一部が浸漬された円筒形状の加湿フィルター５と、この加湿フィルター５を回転させる回転手段６と、水槽４に水を供給する給水タンク７とから形成されている。
【００１７】
水槽４は天面が開口した略箱形状で、本体ケース３の下部に本体ケースの背面側から引き出せるように摺動可能に設けられ、加湿フィルター５を装着する加湿フィルター装着部４ａと、給水タンクを装着する給水タンク装着部４ｂとを備えている。加湿フィルター装着部４ａは水槽の背面側に設けられ、給水タンク装着部４ｂは水槽の前面側に設けられている。
【００１８】
加湿フィルター５は円筒形状で、水槽４の加湿フィルター装着部４ａに回転可能で、回転軸方向が水平方向となるように装着されている。加湿フィルター５の円形状の側面部の片側に歯車６ａを設け、この歯車６ａに回転手段である電動機６ｂの回転力が伝わり、加湿フィルター５が回転するものである。
【００１９】
給水タンク部は、複数の略直方体形状の給水タンク７からなり、水槽４の給水タンク装着部４ｂに装着されている。
【００２０】
本実施形態における特徴点は、送風手段の回転軸８ａを加湿フィルター５の回転軸５ａと平行に設け、加湿フィルター５を吸気口１から排気口２へ空気を送風する送風手段８の上流側に設けた点である。
【００２１】
すなわち、送風手段の回転軸８ａを加湿フィルターの回転軸と平行に設け、加湿フィルター５を吸気口１から排気口２へ空気を送風する送風手段８の上流側に設けたので、吸気口１および加湿フィルター５を介して送風手段８に吸い込まれた空気は、この送風手段８から排気口２を介し、室内へ吹出される。つまり、送風手段８により加湿フィルター５の下流側が負圧状態となるので、加湿フィルター５の上流側である吸気口１から吸い込まれた空気がほぼ均一に加湿フィルター５全体に流れ込むことになる。
【００２２】
これらの結果により、加湿フィルター５全体にほぼ均一に空気が流れるので、加湿能力を向上することができる。
【００２３】
また、送風手段８は電動機８ｂと、複数の羽根部である第１の羽根８ｃと第２の羽根８ｄと、複数のケーシング部である第１のケーシング８ｅと第２のケーシング８ｆとから形成している。この電動機の回転軸８ａの両端に第１の羽根８ｃと第２の羽根８ｄを備え、第１の羽根８ｃと第２の羽根８ｄの両外側と本体ケースとの間と、第１の羽根８ｃと第２の羽根８ｄとの間に空間を有するものである。
【００２４】
具体的には、電動機８ｂは両軸型の電動機で、回転軸が両側面から水平方向に外側に向かって延びている。一方の回転軸には、第１の羽根８ｃが固定され、他方の回転軸には、第２の羽根８ｄが固定されている。これら第１の羽根８ｃおよび第２の羽根８ｄは、両吸込み型のシロッコファンで、円板形状の主板部と、この主板部の中央部には、電動機の回転軸８ａが挿入される略円筒形状の軸固定部を設け、主板部の外周部には主板部の両面から延びた複数の円弧形状のブレード部を備えている。
【００２５】
ケーシング部である第１のケーシング８ｅは、第１の羽根８ｃを囲むように設けられ、第２のケーシング８ｆは、第２の羽根８ｄを囲むように設けられている。これら第１のケーシング８ｅと第２のケーシング８ｆは、両吸込み型のケーシングで、両側面には、円形状の吸込口を備え、この吸込口の周縁がケーシングの内方に湾曲した湾曲部を備え、上部には、略四角形状の吐出口を備えている。
【００２６】
第１のケーシング８ｅと第２のケーシング８ｆのそれぞれの内方の吸込口、つまり電動機側の吸込口である第１のケーシングの第１の内側吸込口８ｇと第２のケーシングの第２の内側吸込口８ｉとが対向した位置に構成されている。この第１のケーシングの第１の内側吸込口８ｇと、第２のケーシングの第２の内側吸込口８ｉとの間に空間である電動機側空間部９ａを有し、この電動機側空間部が第１のケーシングの第１の内側吸込口８ｇおよび第２のケーシングの第２の内側吸込口８ｉへの風路となっている。また、第１のケーシング８ｅと第２のケーシング８ｆのそれぞれの外方の吸込口、つまり本体ケース３両側面側の吸込口である、第１のケーシングの第１の外側吸込口８ｈは、第１のケーシングの第１の内側吸込口８ｇと対向した位置に、第２のケーシングの第２の外側吸込口８ｊは、第２のケーシングの第２の内側吸込口８ｉと対向した位置に構成されている。この第１のケーシングの第１の外側吸込口８ｈと本体ケース３の一方の側面との間に空間である第１の外側吸込空間部９ｂを備え、第２のケーシングの第２の外側吸込口と本体ケース３の他方の側面との間に空間である第２の外側吸込空間部９ｃを備えている。この第１の外側吸込空間部９ｂが第１のケーシングの第１の外側吸込口８ｈへの風路となり、第２の外側吸込空間部９ｃが第２のケーシングの第２の外側吸込口８ｊへの風路となっている。
【００２７】
すなわち、送風手段の回転軸８ａを加湿フィルターの回転軸５ａと平行に設けているので、加湿フィルター５の風下側の中央部に電動機側空間部９ａを設け、加湿フィルター５の風下側の両側端部に第１の外側吸込空間部９ｂと第２の外側吸込空間部９ｃとを設けた構成となる為、加湿フィルター５の風下側の中央部および両側端部の３箇所から送風手段８によって吸い込まれることになり、加湿フィルター５全体に更にほぼ均一に空気が流れるので、加湿能力を向上することができる。
【００２８】
また、第１の羽根８ｃと第２の羽根８ｄとの間の風路の水平方向の距離は、第１の羽根８ｃと第２の羽根８ｄの両外側と本体ケース３との間の風路の水平方向の距離より大きいものである。具体的には、第１の羽根８ｃと第２の羽根８ｄとの間の風路である電動機側空間部９ａの水平方向の距離は、第１の羽根８ｃと第２の羽根８ｄの両外側と本体ケース３との間の風路である第１の外側吸込空間部９ｂと第２の外側吸込空間部９ｃの水平方向の距離より大きいものである。
【００２９】
すなわち、加湿フィルター５の風下側の中央部および両側端部の３箇所から送風手段８によって吸い込まれるが、加湿フィルター５の両側面部と、本体ケース３側面部との間のには、加湿フィルター５が回転するために空間を設けているので、この空間を介して主に第１の外側吸込空間部９ｂと第２の外側吸込空間部９ｃから第１の羽根８ｃまたは第２の羽根８ｄに流れ込む空気の流れができる。ここで、第１の羽根８ｃと第２の羽根８ｄとの間の風路である電動機側空間部９ａの水平方向の距離を、第１の外側吸込空間部９ｂと第２の外側吸込空間部９ｃの水平方向の距離より大きくすることにより、第１の羽根８ｃと第２の羽根８ｄとの間の風路である電動機側空間部９ａから吸い込まれる風量を増加させることによって、加湿フィルター５の中央部を通過する風量を増加させ、加湿フィルター５が回転するために空間を通過する風量、つまり加湿フィルター５を通過しない風量を低減することができる。結果として、加湿フィルター５を通過する風量を増加させることができる。
【００３０】
また、加湿フィルター５の両側面部と、本体ケース３側面部との間の空間を覆うカバー部５ｂを設けたものである。具体的には、カバー部５ｂは本体ケース３両側内面部から加湿フィルター５の両側面部の上部を覆うように延びた略半円弧形状の板である。
【００３１】
これにより、加湿フィルター５を通過しない空気は、加湿フィルター５の両側面部と、本体ケース３側面部との間の空間と、更に、加湿フィルター５の両側面部と、略半円弧形状のカバー部５ｂとの間の空間とを通過することとなり、風路圧損の高い経路となるので、加湿フィルター５を通過しない風量を低減することができる。結果として、加湿フィルター５を通過する風量を増加させることができる。
【００３２】
また、加湿フィルターの回転軸５ａを電動機の回転軸８ａのほぼ真上に設けたものである。具体的には、加湿フィルター５のほぼ真上に送風手段８を設けたものである。これにより、本体ケース３背面側の吸気口１より室内の空気が吸込まれ、加湿フィルター５を通過した空気が、加湿フィルター５のほぼ真上に設けた送風手段８によって、排気口２より室内に送風される場合に、加湿フィルター５から送風手段８の距離が短いので、加湿フィルター５から送風手段８までの風路抵抗が小さくすることができる。
【００３３】
また、加湿フィルター５の回転軸方向の長さは、送風手段８である第１のケーシング８ｅの側面外側から第２のケーシング８ｆの側面外側までの長さより長いものである。具体的には、加湿フィルター５の回転軸方向の長さは、第１のケーシングの第１の外側吸込口８ｈから第２のケーシングの第２の外側吸込口８ｊまでの長さより長いものである。
【００３４】
これにより、第１のケーシングの第１の外側吸込口８ｈと本体ケース３の一方の側面との間の空間である第１の外側吸込空間部９ｂと、第２のケーシングの第２の外側吸込口８ｊと本体ケース３の他方の側面との間の空間である第２の外側吸込空間部９ｃとに対向した位置にも加湿フィルター５を備えた構成となるので、加湿フィルター５から第１のケーシングの第１の外側吸込口８ｈおよび第２のケーシングの第２の外側吸込口８ｊへの空気の流れがほぼ直線となり、空気の流れを円滑にすることができる。
【００３５】
また、吸気口１は本体ケース３の背面側で、加湿手段と送風手段８との間に位置した構成である。具体的には、本体ケース３は略立方体形状で、背面側の側面に略横長四角形状の吸気口１を設け、この吸気口１の開口の上端縁である上端縁部は、第１のケーシング８ｅおよび第２のケーシング８ｆの下端部と本体ケース３の背面側である側面とが重なる高さで、吸気口１の開口の下端縁である下端縁部は、加湿フィルターの回転軸５ａの高さとほぼ同じ高さである。
【００３６】
これにより、送風手段８によって吸気口１から吸い込まれた空気は、第１のケーシング８ｅおよび第２のケーシング８ｆの下面に沿って、吸気口１からやや下向きに加湿フィルター５へ流れるので、加湿フィルターの回転軸５ａより低い加湿フィルター部分にも空気が流れ、結果として、加湿フィルター５全体にほぼ均一に流れ、加湿能力を向上することができる。
【００３７】
また、第１の羽根８ｃと第２の羽根８ｄは同一形状のシロッコファンである。具体的には、第１の羽根８ｃと第２の羽根８ｄは、両吸込み型のシロッコファンで、円板形状の主板部と、この主板部の中央部には、電動機８ｂの回転軸が挿入される略円筒形状の軸固定部を設け、主板部の外周部には主板部の両面から延びた複数の円弧形状のブレード部を備えている。ここで、軸固定部は、略円筒形状で電動機８ｂ側に長く伸びているため、送風手段の回転軸８ａに対して固定代を長くすることができるので、羽根の振動を小さくすることができる。
【００３８】
また、第１のケーシング８ｅと第２のケーシング８ｆは上部に吐出口を設け、この吐出口の本体ケース３の前面側に舌片部を備えたものである。具体的には、第１のケーシング８ｅは、第１の羽根８ｃを囲むように設けられ、第２のケーシング８ｆは、第２の羽根８ｄを囲むように設けられている。これら第１のケーシング８ｅと第２のケーシング８ｆは、両吸込み型のケーシングで、両側面には、円形状の吸込口を備え、この吸込口の周縁がケーシングの内方に湾曲した湾曲部を備え、上部には、略四角形状の吐出口を備えている。この吐出口の本体ケース３の前面側に舌片部を備えたものである。これにより、第１のケーシング８ｅおよび第２のケーシング８ｆの吸込口から吸い込まれた空気は、吐出口から舌片部方向である、本体ケース３の前面側に、本体ケース３の排気口２から吹出すことが出来る。結果として、本体ケース３の背面側を、部屋の壁に近い位置で対向させて運転した場合に、部屋の中央方向に加湿された空気を吹出すので、部屋の壁に加湿された空気が当たることを抑制できる。
【産業上の利用可能性】
【００３９】
以上のように本発明は、吸気口と排気口を有する本体ケースと、この本体ケース内に設けられた加湿手段を備え、この加湿手段は一定量の水が入った水槽と、この水槽の水に周縁の一部が浸漬された円筒形状の加湿フィルターと、この加湿フィルターを回転させる回転手段と、前記水槽に水を供給する給水タンクを備え、前記送風手段の回転軸を前記加湿フィルターの回転軸と平行に設け、前記加湿フィルターを前記吸気口から前記排気口へ空気を送風する送風手段の上流側に設けたものであり、加湿能力を向上することができるものである。
【００４０】
すなわち、送風手段の回転軸を加湿フィルターの回転軸と平行に設け、加湿フィルターを吸気口から排気口へ空気を送風する送風手段の上流側に設けたので、吸気口および加湿フィルターを介して送風手段に吸い込まれた空気は、この送風手段から排気口を介し、室内へ吹出される。つまり、送風手段により加湿フィルターの下流側が負圧状態となるので、加湿フィルターの上流側である吸気口から吸い込まれた空気がほぼ均一に加湿フィルター全体に流れ込むことになる。
【００４１】
これらの結果により、加湿フィルター全体にほぼ均一に空気が流れるので、加湿能力を向上することができる。
【００４２】
従って、家庭用や事務所用などの、加湿装置として活用が期待されるものである。
【符号の説明】
【００４３】
１      吸気口
２      排気口
３      本体ケース
４      水槽
４ａ    加湿フィルター装着部
４ｂ    給水タンク装着部
５      加湿フィルター
５ａ    回転軸
５ｂ    カバー部
６      回転手段
６ａ    歯車
６ｂ    電動機
７      給水タンク
８      送風手段
８ａ    回転軸
８ｂ    電動機
８ｃ    第１の羽根
８ｄ    第２の羽根
８ｅ    第１のケーシング
８ｆ    第２のケーシング
８ｇ    第１のケーシングの第１の内側吸込口
８ｈ    第１のケーシングの第１の外側吸込口
８ｉ    第２のケーシングの第２の内側吸込口
８ｊ    第２のケーシングの第２の外側吸込口
９ａ    電動機側空間部
９ｂ    第１の外側吸込空間部
９ｃ    第２の外側吸込空間部    
【図１】
2010286161.tif 000003
【図２】
2010286161.tif 000004
【図３】
2010286161.tif 000005
【図４】
2010286161.tif 000006